(57)【特許請求の範囲】
【請求項１】
筒状をなす胴部とフランジ状をなす前面板部とを有する筒状枠箱を基板に取り付ける装置であって、基板に筒状枠箱の胴部を挿入する装着用開口を設け、この装着用開口の大きさを全面板部より小さく、かつ筒状枠箱の断面より大きく設定すると共に、胴部の周囲に、前方に位置する挟着片、前記胴部に固定される固着部、及び後方に位置するねじ支持片で形成したコ字状をなす複数の取付部材を固定し、一方、ねじ支持片に雌ねじ孔を形成して、これに挟着片方向にねじ込まれる止めねじを螺合させ、基板の開口に筒状枠箱の胴部を嵌め込んだ後、基板の後方側において、取付部材のねじ支持片に前方に向けねじ込んだ止めねじを更にねじ込み、そのねじの先端で挟着片を弾性変形させることにより、この挟着片と筒状枠箱の前面板部との間で基板の開口縁部を挟み込むことを特徴とする筒状枠箱の取付装置。
【発明の詳細な説明】
【０００１】
【産業上の利用分野】
この発明は、諸機器類における筒状枠箱の取付装置に関する。更に詳しくは、筒状をなす胴部とフランジ状をなす前面板部とを有する筒状枠箱（ケース）を基板に取り付ける装置の改良に関する。
【０００２】
【従来の技術】
フランジ状の前面板部を有する筒状枠箱を基板に固定するには、筒状枠箱のフランジ部分を基板に対し単にねじで止めるのが極く一般的な手段として用いられている。
【０００３】
しかしながら、このような従来の取付手段によれば、ねじ頭部が前面板部に露出させてあるため筒状枠箱がいたずら等により取り外されたりすること、また、フランジ状の前面板部又は基板の板厚が薄すぎたり、板材の強度が不十分な場合、雌ねじ部分の加工が面倒であったり、ねじ付け部分において前面板部又は基板が破損しやすいことなどの欠点があった。
【０００４】
【発明が解決しようとする課題】
この発明の筒状枠箱の取付装置は、ドライバその他の工具類でいたずら等により表面側から止めねじをねじ戻せないようにすると共に、筒状枠箱のフランジ状をなす前面板部又は筒状枠箱を取り付ける基板の板厚や材質の種類によらず、長期に亘り安定した取付状態が保持できるようにすることを目的として提案されたものである。
【０００５】
【課題を解決するための手段】
上記の目的を達成するため、請求項１に記載の発明は、筒状をなす胴部とフランジ状をなす前面板部とを有する筒状枠箱を基板に取り付ける装置であって、基板に筒状枠箱の胴部を挿入する装着用開口を設け、この装着用開口の大きさを全面板部より小さく、かつ筒状枠箱の断面より大きく設定すると共に、胴部の周囲に、前方に位置する挟着片、前記胴部に固定される固着部、及び後方に位置するねじ支持片で形成したコ字状をなす複数の取付部材を固定し、一方、ねじ支持片に雌ねじ孔を形成して、これに挟着片方向にねじ込まれる止めねじを螺合させ、基板の開口に筒状枠箱の胴部を嵌め込んだ後、基板の後方側において、取付部材のねじ支持片に前方に向けねじ込んだ止めねじを更にねじ込み、そのねじの先端で挟着片を弾性変形させることにより、この挟着片と筒状枠箱の前面板部との間で基板の開口縁部を挟み込むことを特徴とする。
【０００６】
【作用】
筒状枠箱１を基板２に対し装着固定する手順について図１乃至図３を参照して説明する。
【０００７】
請求項１に記載の発明においては、先ず、基板２の装着用開口２１に対し筒状枠箱１の胴部１１を手で図１で矢印Ａ方向に向け差し込む。この際、枠箱１の胴部１１に固定された取付部材４及びそれにねじ込まれた止めねじ５が基板２における開口縁部２２に衝突しないように、枠箱全体を適当に傾けたり基板２とほぼ平行に移動させたりしつつ挿入することは勿論である。
【０００８】
図２に示すように、枠箱１におけるフランジ状の前面板部１２の背面を基板２の前面に押し当てつつ、該枠箱１を正面から見て適正位置に定めたら、図３に示すように、基板２の後方側において、各止めねじ５をねじ込み、そのねじ５の先端を挟着片４１に押し当てることにより、挟着片４１と筒状枠箱１の前面板部１２との間で基板２の開口縁部２２を挟み込み、もって、筒状枠箱１の全体を基板２に対し固定する。
【０００９】
【実施例】
以下、図面に示す実施例に基いてこの発明について説明する。
図１乃至図３において、符号１は筒状をなす胴部１１とフランジ状をなす前面板部１２とを有する筒状枠箱、２はその枠箱１が取り付けられる基板をそれぞれ示す。
【００１０】
筒状枠箱１は、図示しない本体部分を覆う諸機器類のケースであって、筒状をなすケースであれば角筒状のもの円筒状のものなど任意でよい。図面における角筒状の枠箱１は、図３で矢印Ｂ方向に挿入される磁気カード３に付与されたデータを読み取る読取り装置を示している。
【００１１】
符号１３は前面板部１２に設けたカード差し込み口、１４は筒状胴部１１に接続された通電コードである。
【００１２】
筒状枠箱１の胴部１１と前面板部１２とは互に一体として製作してもよいし、別体に製作してねじや溶接などで固定してもよい。枠箱１を一体のものとしたときは、例えば胴部１１に機器の本体部分を装着するための開口を設けることが必要なことは言うまでもない。
【００１３】
一方、基板２には、筒状枠箱１の胴部１１を挿入する装着用開口２１が設けてあり、その開口２１の正面形は、枠箱１の胴部１１の形状やその胴部１１に固設される後記の取付部材４の大きさ等により、定められるものであるが、開口２１の面積は枠箱１の前面板部１２の正面から見た面積より小さく形成することは勿論である。
【００１４】
前述の枠箱胴部１１の周囲にはコ字状をなす複数の取付部材４が溶接、鋲止め、ねじ止め又は接着等の手段により固定してある。
【００１５】
コ字状の取付部材４は、前方に位置する挟着片４１と前記胴部１１に固定される固着部４２と後方に位置するねじ支持片４３とから成り、強靭な金属又は合成樹脂で一体に作るとよい。
【００１６】
そして、各取付部材４のねじ支持片４３には、挟着片４１に向けねじ込まれる止めねじ５のための雌ねじ孔４３ａが形成してある。また、挟着片４１には基板２に対し大きな押圧力を付与させるため段部４１ａを設けるとよい。
【００１７】
図２に示すように、基板２の装着開口２１に対し、筒状枠箱１の胴部１１を嵌め込んだら、基板２の後方側（背面側）において、取付部材４のねじ支持片４３に前方に向けねじ込んだ止めねじ５を更にねじ込む。
【００１８】
そして、図３に示すように、そのねじ５の先端で挟着片４１を弾性的又は非弾性的に変形させることにより、この挟着片４１と筒状枠箱１の前面板部１２との間で基板２の開口縁部２２を挟み込み、もって、基板２に対し筒状枠箱１を強固に固定する。
【００１９】
【発明の効果】
以上に説明したこの発明の筒状枠箱の取付装置によれば、止めねじは前面板側に露出していないから、ドライバその他の工具類を用いていたずら等により枠箱を簡単には外すことができず、また、枠箱全体は、前面板部と取付部材の挟着片との間で基板を挟持することにより、又は前面板部と止めねじの先端との間で基板を挟持することにより、支持されることになるので、前面板部又は基板の厚さや材質の種類によらず、長期に亘り安定した取付強度が発揮されるなどの効果を奏する。
【図面の簡単な説明】
【図１】  この発明の一実施例による筒状枠箱の取付装置の取付前の状態を示す部分縦断側面図。
【図２】  枠箱の取付過程におけるその部分縦断側面図。
【図３】  枠箱の取付後の状態を示すその部分縦断側面図。
【符号の説明】
１  筒状枠箱
１１  胴部
１２  前面板部
２  基板
２１  装着用開口
２２  開口縁部
４  取付部材
４１  挟着片
４２  固着部
４３  ねじ支持片
４３ａ  雌ねじ孔
５  止めねじ
【図１】
0003749736.tif 000002
【図２】
0003749736.tif 000003
【図３】
0003749736.tif 000004